(57)【要約】  スペクトルに基づき測色的に較正された多色カメラを使用してディスプレイを較正するためのシステムおよび方法が説明される。特に、ディスプレイユニット上に多色較正パターン画像を表示することと、各画像センサが所定の色の光をキャプチャするように構成された、複数の画像センサを有する多色カメラを用いて、多色較正パターン画像をキャプチャすることと、多色較正パターンからの色のセットの基準絶対ＸＹＺ座標のセットを、測色的に較正されたカメラを使用してキャプチャされる測定されたＸＹＺ色座標のセットと比較することと、基準座標と測定された座標との間の前記比較に基づいて、ディスプレイユニットを較正することとのためのシステムおよび方法が説明される。
2014531612.tif 000002
【特許請求の範囲】
【請求項１】
ディスプレイユニットを較正するための電子的方法であって、
前記ディスプレイユニット上に多色較正パターン画像を表示することと、
各画像センサが所定の色の光をキャプチャするように構成された、複数の画像センサを有する多色測色的に較正されたカメラを用いて、前記ディスプレイユニット上に表示される前記多色較正パターン画像をキャプチャすることと、
前記多色較正パターンからの色のセットの基準絶対ＸＹＺ座標のセットを、前記測色的に較正されたカメラを使用してキャプチャされた、測定されたＸＹＺ色座標のセットと比較することと、
前記基準座標と前記測定された座標との間の前記比較に基づいて、前記ディスプレイユニットを較正することと
を備える方法。
【請求項２】
前記色のセットの基準絶対ＸＹＺ座標と、前記測定されたＸＹＺ色座標との間の前記比較が、許容可能な色誤差内にあるかどうかを決定するステップをさらに備える、請求項１に記載の方法。
【請求項３】
前記許容可能な色誤差は、１ ＣＩＥ ＤＥ２０００単位未満である、請求項２に記載の方法。
【請求項４】
前記多色カメラのスペクトルに基づく較正を実行するステップをさらに備える、請求項１に記載の方法。
【請求項５】
前記多色較正パターン画像は、複数の単色画像を備える、請求項１に記載の方法。
【請求項６】
前記方法は、５秒未満で実行されうる、請求項１に記載の方法。
【請求項７】
前記測色的に較正されたカメラは、赤、緑、および青の光をキャプチャするように構成された個別の画像センサを備える、請求項１に記載の方法。
【請求項８】
前記ディスプレイユニット上に多色較正パターン画像を表示することは、前もって選択された画素色を表示するように、前記ディスプレイユニットにおけるグラフィックスプロセッサに命令することを備える、請求項１に記載の方法。
【請求項９】
ディスプレイユニットを較正するためのシステムであって、
各画像センサが所定の色の光をキャプチャするように構成された、個別の画像センサで赤色、緑色、および青色をキャプチャするように構成された多色カメラと、
較正されるディスプレイユニット上で色パターン画像を生成するように構成されたパネルドライバと、
前記ディスプレイ上に示される色を調整するために、較正値を設定するように構成された較正モジュールと
を備えるシステム。
【請求項１０】
テスト色のセットの基準絶対ＸＹＺ座標のセットを、測色的に較正されたカメラを使用してキャプチャされる測定されたＸＹＺ色座標の対応するセットと比較し、許容可能な色誤差が達成されたかどうかを決定するように構成された比較モジュールをさらに備える、請求項９に記載のシステム。
【請求項１１】
前記許容可能な色誤差は、１ ＤＥ２０００ ＣＩＥ単位未満である、請求項１０に記載のシステム。
【請求項１２】
前記ディスプレイユニット上の色パターン画像をキャプチャする前に、多色カメラをスペクトル的に較正するように構成された画像キャプチャモジュールをさらに備える、請求項１０に記載のシステム。
【請求項１３】
前記多色カメラは、３ＣＣＤカメラを備える、請求項１０に記載のシステム。
【請求項１４】
前記パネルドライバは、前記較正されるディスプレイユニットにおけるグラフィックスプロセッサと通信するように構成される、請求項１０に記載のシステム。
【請求項１５】
前記較正モジュールは、前記ディスプレイユニット中に較正係数のマトリクスを記憶するように構成される、請求項１０に記載のシステム。
【請求項１６】
プロセッサ実行可能命令を含む非一時的なコンピュータ読取可能な媒体であって、前記命令は、実行されたときに、
ディスプレイユニット上に多色較正パターン画像を表示することと、
各画像センサが所定の色の光をキャプチャするように構成された、複数の画像センサを有する多色カメラを用いて、前記ディスプレイユニット上に表示される前記多色較正パターン画像をキャプチャすることと、
色のセットの基準絶対ＸＹＺ座標を、前記測色的に較正されたカメラを使用してキャプチャされる測定されたＸＹＺ色座標のセットと比較することと、
前記基準座標と前記測定された座標との間の前記比較に基づいて、前記ディスプレイユニットを較正することと
を備える方法を実行する、コンピュータ読取可能な媒体。
【請求項１７】
実行されたときに、測色的に較正されたカメラを使用してキャプチャされる前記測定されたＸＹＺ色座標に対して前記色のセットの基準絶対ＸＹＺ座標が、許容可能な色誤差内にあるかどうかを決定する方法を実行するプロセッサ実行可能命令をさらに含む、請求項１６に記載のコンピュータ読取可能な媒体。
【請求項１８】
実行されたときに、前記多色カメラのスペクトルに基づく較正を実行する方法を実行するプロセッサ実行可能命令をさらに含む、請求項１６に記載のコンピュータ読取可能な媒体。
【請求項１９】
前記コンピュータ読取可能な媒体は、前記ディスプレイユニット中に較正係数のマトリクスを記憶することによって前記ディスプレイユニットを較正するための命令を備える、請求項１６に記載のコンピュータ読取可能な媒体。
【請求項２０】
ディスプレイユニットを較正するためのシステムであって、
前記ディスプレイユニット上に多色較正パターン画像を表示する手段と、
各画像センサが所定の色の光をキャプチャするように構成された、複数の画像センサを有する多色カメラを用いて、前記ディスプレイユニット上に表示される前記多色較正パターン画像をキャプチャする手段と、
色のセットの基準絶対ＸＹＺ座標を、前記測色的に較正されたカメラを使用してキャプチャされる測定されたＸＹＺ色座標のセットと比較する手段と、
前記基準座標と前記測定された座標との間の前記比較に基づいて、前記ディスプレイユニットを較正する手段と
を備えるシステム。
【発明の詳細な説明】
【技術分野】
【０００１】
[0001]  本発明の一態様は、電子ディスプレイの較正（calibration of electronic display）に関し、特に、多色カメラ（a multicolor camera）を利用した電子ディスプレイの較正のための方法およびシステムに関する。
【背景技術】
【０００２】
[0002]  セルラ電話、コンピュータおよびタブレットで使用されるような電子ディスプレイは、それらの色調応答（tone-response）、色応答およびバックライト変調応答において、著しい量のばらつき（variability）を示しうる。これは主に、ＬＥＤバックライトのスペクトルパワー分布（spectral power distribution）（ＳＰＤ）におけるばらつきを含む、ディスプレイの製造に使用される様々な光学コンポーネント（optical components）の特性におけるばらつきに起因する。
【０００３】
[0003]  したがって、使用中に各ディスプレイが正確な色調応答、色応答およびバックライト変調応答を提供するように、製造ラインで製造される各電子ディスプレイを較正することが典型的である。しかしながら、分光計（a spectrometer）または色度計（a color meter）を使用したディスプレイの特徴付けおよび較正は、２つの基本的な欠陥をもたらしうる。第１に、これら色度計は、（通常パネル中央の）ディスプレイ上の単一のスポットに基づく較正データのみを生成しうる。第２に、ディスプレイ画面は、複数の異なる色について正確な応答を有するように個別に較正される必要がありうる一方で、その較正は、一度に１色ずつのみ実行されるので、一般的には、必要な測定を行うために著しい量の時間を要する。例えば、液晶ディスプレイ（ＬＣＤ）についての赤／緑／青の色調応答は、一度に１つの光の波長のみを測定するフォトリサーチ社製ＰＲ−６５５（Photo Research PR-655）分光計を使用して、１デジタル入力レベル当たり最大１５秒かかりうる。単一のディスプレイのための全較正プロセスは、異なる形状および色の１９２個のテストパターンに基づいて評価および較正される必要がある１チャネル当たり６ビットのＬＣＤディスプレイ（a 6-bit per channel LCD display）について最大で合計約４８分かかりうる。
【発明の概要】
【０００４】
[0004]  いくつかの実施形態は、ディスプレイユニットを較正するための方法を備えうる。この方法は、ディスプレイユニット上に多色較正パターン画像（a multicolor calibration pattern image）を表示することを備えうる。この方法は、各画像センサが所定の色の光(color of light)をキャプチャするように構成された複数の画像センサを有する多色測色的に較正されたカメラ（multicolor colorimetrically calibrated camera）を用いて、ディスプレイユニット上に表示される多色較正パターン画像をキャプチャすることをさらに備えうる。この方法は、多色較正パターンからの色のセットの基準絶対ＸＹＺ座標（reference absolute XYZ coordinates）のセットを、測色的に較正されたカメラ（colorimetrically calibrated camera）を使用してキャプチャされる測定されたＸＹＺ色座標（XYZ color coordinates）のセットと比較することと、基準座標と測定された座標との間の比較に基づいて、ディスプレイユニットを較正することとをさらに備えうる。他の実施形態では、この方法は、色のセットの基準絶対ＸＹＺ座標と、測定されたＸＹＺ色座標との間の比較が、許容可能な色誤差（color error）内にあるかどうかを決定することをさらに備えうる。いくつかの実施形態では、許容可能な色誤差は、１ ＣＩＥ ＤＥ２０００単位（unit）未満でありうる。他の実施形態では、この方法は、多色カメラのスペクトルに基づく較正を実行することをさらに備えうる。いくつかの実施形態では、多色較正パターン画像は、複数の単色画像（a plurality of single color images）を備えうる。他の実施形態では、この方法は、５秒未満で実行されうる。
【０００５】
[0005]  他の実施形態は、各画像センサが所定の色の光をキャプチャするように構成された個別の画像センサで赤色、緑色、および青色をキャプチャするように構成された多色カメラを備える、ディスプレイユニットを較正するためのシステムを備えうる。このシステムは、較正されるディスプレイユニット上に色パターン画像を生成するように構成されたパネルドライバ（a panel driver）をさらに備えうる。このシステムは、ディスプレイ上に示される色を調整するために、較正値を設定するように構成された較正モジュールをさらに備えうる。他の実施形態では、このシステムは、テスト色のセットの基準絶対ＸＹＺ座標のセットを、測色的に較正されたカメラを使用してキャプチャされる測定されたＸＹＺ色座標の対応するセットと比較し、許容可能な色誤差が達成されているかどうかを決定するように構成された比較モジュールをさらに備えうる。いくつかの実施形態では、許容可能な色誤差は、１ ＣＩＥ ＤＥ２０００単位未満でありうる。他の実施形態では、このシステムは、ディスプレイユニット上の色パターン画像をキャプチャする前に、多色カメラをスペクトル的に較正するように構成された画像キャプチャモジュールをさらに備えうる。
【０００６】
[0006]  他の実施形態は、プロセッサに、ディスプレイユニット上に多色較正パターン画像を表示させ、各画像センサが所定の色の光をキャプチャするように構成された複数の画像センサを有する多色カメラを用いて、ディスプレイユニット上に表示される多色較正パターン画像をキャプチャさせ、色のセットの基準絶対ＸＹＺ座標を、測色的に較正されたカメラを使用してキャプチャされる測定されたＸＹＺ色座標のセットと比較させ、基準座標と測定された座標との間の比較に基づいて、ディスプレイユニットを較正させるように動作するプロセッサ実行可能命令を含む、非一時的なコンピュータ読取可能な媒体を含みうる。他の実施形態は、プロセッサに、色のセットの基準絶対ＸＹＺ座標と、測定されたＸＹＺ色座標との間の比較が、許容可能な色誤差内にあるかどうかを決定させるように動作する実行可能命令をさらに備える。他の実施形態は、プロセッサに、多色カメラのスペクトルに基づく較正を実行させるように動作する実行可能命令をさらに備える。
【図面の簡単な説明】
【０００７】
[0007]  これら開示される態様は、開示される態様を限定するためでなく、例示するために提供される添付図面と併せて以下に説明され、ここで、同様の表記は同様の要素を示す。
【図１】図１は、本発明の一実施形態の画像解析システムを図示する概略図である。
【図２】図２は、本発明のいくつかの動作可能な実施形態をインプリメントするデバイスを図示するブロック図である。
【図３】図３は、較正プロセスの一実施形態で利用されるプロセスを図示するフローチャートである。
【図４】図４は、多色カメラを較正するために使用されるプロセスの一実施形態を図示するフローチャートである。
【詳細な説明】
【０００８】
[0012]  本明細書において開示されるインプリメンテーションは、多色カメラを使用してディスプレイユニットを較正するためのシステム、方法、および装置を提供する。具体的には、本明細書において説明されるいくつかの実施形態は、ディスプレイユニット上に表示される多色較正パターンの画像をキャプチャするためにスペクトル的に較正された多色カメラを組み込み、ディスプレイユニットに較正調整を適用する。一実施形態は、一度に１つ以上の較正パターンをディスプレイユニット上に表示することを含む。他の実施形態は、ディスプレイユニット上に表示される較正パターンの画像を取得する（acquiring）前に、多色カメラのスペクトルに基づく較正を実行することを含む。当業者であれば、これらの実施形態がハードウェア、ソフトウェア、ファームウェア、またはこれらの任意の組み合わせでインプリメントされうることを理解するであろう。
【０００９】
[0013]  したがって、一実施形態は、電子ディスプレイをすばやく較正するためのシステムを含みうる。この実施形態では、３つの電荷結合デバイス（３ＣＣＤ）を有する多色カメラのような多色カメラが、テストされる電子ディスプレイ上に表示される色テストパターンを評価するために使用される。この実施形態では、画像解析システムが、３ＣＣＤカメラとディスプレイとにリンクされ、ディスプレイ上に一連の単色、または多色のテストパターンを出力する。３ＣＣＤカメラは、３つの赤、緑および青の色帯域のために３つの個別の画像センサを有しているで、それは、同時に３つのＲＧＢ帯域についての色応答を個別に測定しうる。これは、（ＲＧＢ色補間（RGB color interpolation）を必要とする）単一のベイヤー型（Bayer-type）ＲＧＢ色センサでカメラのＲＧＢチャネル間で存在する著しい色クロストーク（crosstalk）を除去し、したがって、より正確な画像キャプチャおよびより正確な色測定を提供する。同様に、機械的な色相環フィルタ（color wheel filters）のセットを備えた単一のセンサを使用するカメラと比較して、３ＣＣＤカメラは、画像をキャプチャするおよび色測定を提供するという点では、より速いことが望ましい。
【００１０】
[0014]  以下の説明では、特定の詳細が例についての完全な理解を提供するために与えられる。しかしながら、当業者であれば、これら例がこれらの特定の詳細なしで実施されうることを理解するであろう。例えば、これら例を不必要な詳細で不明瞭にしないように、電気コンポーネント／デバイスはブロック図で示されうる。他の事例では、このようなコンポーネント、他の構造および技術が、これら例をさらに説明するために詳細に示されうる。
【００１１】
[0015]  また、これら例は、フローチャート、フロー図、有限状態図、構造図、またはブロック図として図示される、プロセスとして説明されうることに留意されたい。フローチャートは、動作を順次プロセスとして説明しうるが、これら動作の多くは並列にまたは同時に実行されることができ、また、プロセスは繰り返されることができる。さらに、動作の順序は再構成されうる。プロセスは、その動作が完了したときに終了される。プロセスは、方法、関数、プロシージャ、サブルーチン、サブプログラム等に対応しうる。プロセスがソフトウェア関数に対応する場合、その終了は、この関数が呼び出し関数または主関数に戻ることに対応する。
【００１２】
[0016]  当業者であれば、情報および信号は、様々な異なる技術および技法のうちの任意のものを使用して表されうることを理解するであろう。例えば、上記説明の全体にわたって参照されうるデータ、命令、コマンド、情報、信号、ビット、シンボル、およびチップは、電圧、電流、電磁波、磁場または磁性粒子、光場または光粒子、あるいはこれらの任意の組み合わせによって表されうる。
【００１３】
[0017]  本発明のコンテキストにおいて、「較正（calibration）」という用語は、ダイナミックレンジ全体にわたって個別の赤、緑、および青の色調応答を測定することを指す。例えば、２４ビットのディスプレイ上では、較正は、各ＲＧＢチャネルについて少なくとも１６個のレベルを測定することを指す。ディスプレイの較正は、すべてのグレーレベル（gray levels）において、平均色誤差が、２ ＣＩＥ ＤＥ２０００単位以下になるように、グレー・トラッキング補正（gray tracking correction）および色調応答を実行することをさらに伴うことが望ましい。ディスプレイの較正は、平均色誤差が１ ＣＩＥ ＤＥ２０００単位未満になるように、少なくとも１８のテスト色について色誤差測定を実行することをさらに伴いうる。
【００１４】
[0018]  本開示の技術は、バックライト付きデバイス（backlit devices）（一般に、透過型ディスプレイとも称される）、フロントライト付きディスプレイ（frontlit displays）、反射型ディスプレイ、およびＬＥＤデバイスとＯＬＥＤデバイスのような自発光型ディスプレイを含む、様々な異なるディスプレイデバイスに適用可能でありうる。典型的なデバイスは、デジタルテレビ、無線通信デバイス、携帯情報端末（ＰＤＡ）、ラップトップコンピュータまたはデスクトップコンピュータ、デジタルカメラ、ビデオカメラ、デジタルメディアプレーヤ、ビデオゲームデバイス、セルラまたは衛星無線電話、スマートフォン、タブレット、またはディスプレイを有する任意のデバイスを含む。
【００１５】
[0019]  ここに開示される技術は、ルミナンス（luminance）、クロミナンス（chrominance）および／またはバックライトの調整能力を有する任意のタイプのディスプレイに適用可能でありうる。これらの技術は、計算された較正パラメータを適用することができ、その後、ユーザに対して実世界の色の正確な表現を形成するディスプレイを提供するために、ディスプレイを較正するための異なる調整を行う。具体的には、異なる色補正マトリクス（color correction matrices）が生成されて、デバイスに対する所望の調整を達成するために、ディスプレイにおける異なる設定に適用されうる。ここに説明される調整は、異なるバックライト設定によるクロミナンスのシフトのみならず、色間チャネルクロストーク（inter-color channel cross-talk）に対処しうる。クロストークは、１つの色チャネルが、別の色チャネルに与える影響によって引き起こされることがあり、クロストークは、異なるバックライト設定において異なりうる。ここに説明されるクロストークに対処するための技術は、バックライトディスプレイデバイスとルミナンス調整能力を有するその他のタイプのディスプレイに適用可能であり、また、静的なルミナンス出力を有するディスプレイデバイスにさえも、適用可能でありうる。一般に、ＲＧＢクロストークは、光学（例えば、ＲＧＢフィルタ）クロストークと電気ＲＧＢクロストークとの、少なくとも２つの要素に起因しうる。
【００１６】
[0020]  １つの例では、本開示は、バックライト変調（backlight modulation）を用いるディスプレイデバイスのための色補正技術を説明する。バックライトレベルにおける変更は、ディスプレイの色出力におけるスペクトルシフトをもたらしうる。別の例では、本開示は、バックライト付きでないディスプレイデバイスにおける色を補正するための色補正技術に関する。
【００１７】
[0021]  色応答は、一般に、色入力データの所与のセットに応答した、ディスプレイの色出力を指しうる。より詳細には、色応答は、色チャネルについての画素値（pixel values）を指定する色画像データ（color image data）に応答して、例えば、赤（Ｒ）、緑（Ｇ）および青（Ｂ）等の、色チャネルの組み合わせによって生成されるディスプレイの色出力を指しうる。本開示の技術は、色調調整および色調整の両方を適用しうる。色調調整は、本質的にルミナンスにおける不正確さを調整しうる一方で、色調整は、クロミナンスにおける不正確さを調整しうる。上述されたように、色調整は、異なるバックライト設定に起因する色シフトと、異なるバックライト設定において異なりうる色チャネル間のクロストークとの両方に対処しうる。色調調整および色調整の両方が、例えば、Ｒ、Ｇ、Ｂ値等の、色成分に対する調整を備えることができ、これは、ディスプレイを駆動するために使用される。
【００１８】
[0022]  いくつかの例では、較正は、較正されるディスプレイの色調応答に基づいて、異なる色チャネルについての適切なガンマ補正（gamma correction）を決定することを伴いうる。ガンマ補正は、異なる色チャネルの一つ一つに対して所望の色調またはルミナンスの出力を生成するように選択されうる。その後、ディスプレイの色応答に対する較正が、バックライトの異なるレベルで実行されうる。いくつかの例では、色応答は、較正色値のセット（a set of calibration color values）への参照により（with reference to）較正されることができ、これは、例えば、周知のマクベスカラーチェッカーテストチャート（Macbeth color checker test chart）において提供されるもののような、色パッチ（color patches）として配列されうる。
【００１９】
[0023]  図１は、ディスプレイユニット１１２と多色カメラ１１４とにリンクされた画像解析システム１１０を含む、ディスプレイユニットのディスプレイの特徴付けおよび較正（ＤＣＣ：display characterization and calibration）システム１００の一実施形態の概略図を図示する。多色カメラ１１４は、それが色を測定し、絶対ＸＹＺ色座標を提供できるように、スペクトル的に較正されうる。画像解析システム１１０は、デスクトップパーソナルコンピュータまたはそれに類するものなどの固定デバイスであることができ、あるいは、それは移動体であることができる。複数のアプリケーションが、画像解析システム１１０上でユーザに利用可能でありうる。
【００２０】
[0024]  図１に示されるように、画像解析システム１１０は、較正を必要とするディスプレイユニット１１２を多色カメラ１１４にリンクする。ディスプレイユニット１１２が多色カメラ１１４と電気通信状態にあるので、以下に説明されるように、画像解析システム１１０がディスプレイユニット１１２を適切に較正することを可能にするフィードバックループが開始されうる。多色カメラは、キャプチャされた画像におけるＲＧＢ値が、数値処理を通じてＸＹＺ絶対色座標にマッピングされるように、測色的に較正されうる。較正パターンにおけるテスト色は、想定色域（assumed color gamut）に基づいてＲＧＢ座標にマッピングするＸＹＺ絶対座標を有する。テスト色がディスプレイユニット１１２上に表示され、画像が多色カメラ１１４によってキャプチャされた後、テスト色のＲＧＢ値が、キャプチャされた画像から抽出される。その後、画像解析システム１１０による数値処理を通じて、テスト色のＸＹＺ座標が計算される。その後、色誤差が、テスト色の基準ＸＹＺ座標と計算されたＸＹＺ座標との間で定義される。
【００２１】
[0025]  ディスプレイの特徴付けおよび較正（ＤＣＣ）は、特定のディスプレイパネルおよび／またはデバイスに適切な色補正マトリクスを決定するために（例えば、デバイスの製造業者によって）実行されうる。いくつかの例では、ＤＣＣは、一般的なクラスのデバイス（例えば、特定の型番）のために実行されうる。他の例では、ＤＣＣは、個々のデバイスに対して実行されうる。したがって、ＤＣＣは、デバイスの製造時に実行されうる。一実施形態では、ＤＣＣは、色補正およびガンマ補正のためのデータを生成し、その後、この生成されたデータは、ディスプレイがユーザによって使用される際に、色補正およびガンマ補正を実行するために、デバイスプロセッサによる使用のために各対応するデバイス中に記憶される。一実施形態では、ディスプレイ較正データは、ディスプレイユニット１１２と関連づけられるメモリ中にマトリクスとして記憶される。補正は、異なるバックライトレベルに起因する色度（chromaticity）シフトのみならず、異なるバックライトレベルによって同様に影響を受けることがある、チャネル間のクロストークの両方を考慮しうる。
【００２２】
[0026]  ＤＣＣは、ディスプレイの色調応答およびディスプレイの色応答を考慮に入れうる。特徴付けおよび較正は、例えば、固定バックライトレベルおよび可変バックライトレベルなどの、異なるディスプレイ動条件で実行されうる。ＤＣＣは、測定によるディスプレイの特徴付けと、ガンマおよび色補正マトリクスによる較正と、線形性および色誤差検査による検証とを含みうる。
【００２３】
[0027]  したがって、一実施形態では、このシステムは４つの主コンポーネントを有する。第１のコンポーネントは、正確なＲＧＢ色画像をキャプチャするカメラであり、ここで、ＲＧＢ値は、その後、パーソナルコンピュータのような電子システムにおける数値処理を通じて絶対色座標にマッピングされる。第２のコンポーネントは、マスタとして機能し、かつ第１のインタフェースを通じてカメラを制御し、第２のインタフェースを使用して、較正されるディスプレイ／ディスプレイプロセッサを制御する、パーソナルコンピュータのような電子システムである。第３のコンポーネントは、ディスプレイ上にレンダリングされる（rendered）前に画像を処理する、Ｑｕａｌｃｏｍｍ, Ｉｎｃ．（サンディエゴ、ＣＡ）によって製造されるようなディスプレイプロセッサチップである。このディスプレイプロセッサはまた、直接ディスプレイデバイス内でテスト色またはテストパターンを生成するために使用されうる。したがって、接続されたシステムによってテスト色／テストパターンを個別に生成し、その後、それらをディスプレイにアップロードする必要がない。これは、ディスプレイの較正プロセスにおいて、著しい量の時間を節約しうる。最後のコンポーネントは、テストされるディスプレイユニットである。典型的には、ディスプレイ画面およびグラフィックスプロセッサは、携帯電話またはタブレットのような、単一のデバイスに内蔵される。
【００２４】
[0028]  図２は、多色カメラ入力／出力１１５、パネルドライバ１２３およびディスプレイユニット入力／出力１２５を有するプロセッサ１２０を含むコンポーネントのセットを有する画像解析システム１１０のハイレベルなブロック図を図示する。ワーキングメモリ１０５およびメモリ１３０がまた、プロセッサ１２０と通信状態にある。
【００２５】
[0029]  プロセッサ１２０は、汎用処理ユニット、または撮像アプリケーションのために特別に設計されたプロセッサでありうる。示されるように、プロセッサ１２０は、メモリ１３０とワーキングメモリ１０５とに接続されている。例示される実施形態では、メモリ１３０は、画像キャプチャモジュール１４０、比較モジュール１４５、ディスプレイ較正モジュール１５０、ユーザインタフェースモジュール１６０、およびオペレーティングシステム１５５を記憶する。これらのモジュールは、様々な画像処理およびデバイス管理タスクを実行するようにプロセッサ１２０を構成する命令（instructions that configure the processor 120 to perform）を含みうる。ワーキングメモリ１０５は、メモリ１３０のモジュールに含まれるプロセッサ命令のワーキングセットを記憶するために、プロセッサ１２０によって使用されうる。あるいは、ワーキングメモリ１０５はまた、画像解析システム１１０の動作中に作成された動的データを記憶するために、プロセッサ１２０によって使用されうる。
【００２６】
[0030]  上述したとおり、プロセッサ１２０は、メモリ１３０中に記憶されたいくつかのモジュールによって構成される。画像キャプチャモジュール１４０は、多色カメラ１１４を用いて画像をキャプチャするようにプロセッサ１２０を構成する命令を含む。したがって、プロセッサ１２０は、画像キャプチャモジュール１４０、多色カメラ１１４、およびワーキングメモリ１０５と共に、多色カメラを使用して多色画像をキャプチャするための１つの手段を表す。比較モジュール１４５は、較正テストパターンのキャプチャされた画像から抽出されたテスト色のＲＧＢ値を比較し、数値処理を通じて、テスト色のＸＹＺ座標を計算するようにプロセッサ１２０を構成する命令を提供する。その後、色誤差が、テスト色の基準ＸＹＺ座標と計算されたＸＹＺ座標との間で測定される。ディスプレイ較正モジュール１５０は、測定された色誤差が許容可能な色誤差限度内にない場合、ディスプレイに較正変更を適用する（apply calibration changes to a display）命令を含む。ユーザインタフェースモジュール１６０は、画像解析システム１１０を実行しながら、ユーザがアクセス可能な電子ディスプレイ上に情報を表示するようにプロセッサ１２０を構成する命令を含む。
【００２７】
[0031]  オペレーティングシステムモジュール１５５は、システム１１０のメモリと処理リソースを管理するようにプロセッサ１２０を構成する。例えば、オペレーティングシステムモジュール１５５は、ディスプレイ１２５または多色カメラ１１５などのハードウェアリソースを管理するためのデバイスドライバを含みうる。したがって、いくつかの実施形態では、上述された較正モジュールに含まれる命令は、これらのハードウェアリソースとは直接相互に作用せず、その代わりに、オペレーティングシステムコンポーネント１５５中に位置するＡＰＩまたは標準のサブルーチンを通じて相互に作用しうる。その後、オペレーティングシステム１５５内の命令は、これらのハードウェアコンポーネントと直接相互に作用しうる。
【００２８】
[0032]  図２は、プロセッサ、多色カメラ、パネルドライバ、ディスプレイ、およびメモリを含むために個別のコンポーネントを備えたデバイスを図示しているが、当業者であれば、これらの個別のコンポーネントは、特定の設計目的を達成するために、様々な方法で組み合わされうることを理解するであろう。例えば、代替の実施形態では、メモリコンポーネントは、費用を節約しパフォーマンスを向上させるために、プロセッサコンポーネントと組み合わされうる。
【００２９】
[0033]  加えて、図２は、いくつかのモジュールを備えるメモリコンポーネント１３０と、ワーキングメモリを備える別のメモリ１０５とを含む、２つのメモリコンポーネントを例示しているが、当業者であれば、異なるメモリアーキテクチャを利用するいくつかの実施形態を理解するであろう。例えば、一設計は、メモリ１３０中に含まれるこれらモジュールをインプリメントするプロセッサ命令の記憶のために、ＲＯＭメモリまたはスタティックＲＡＭメモリを利用しうる。あるいは、プロセッサ命令は、デバイス１００に内蔵された、または外部デバイスポートを介して接続されたディスク記憶デバイスからシステム起動時に読み取られうる。その後、プロセッサ命令は、ＲＡＭにロードされて、プロセッサによる実行を容易にしうる。例えば、ワーキングメモリ１０５は、プロセッサ１２０による実行の前にワーキングメモリ１０５にロードされる命令を備えたＲＡＭメモリでありうる。
【００３０】
[0034]  図３は、一実施形態において、どのようにディスプレイ較正が機能しうるかの概要を提供する、数値処理およびディスプレイ較正プロセス３００を例示するフローチャートである。プロセス３００は、開始ブロック３０５で始まり、その後、パネルドライバ１２３によってディスプレイユニット上に個別のＲＧＢテストパターンが表示された場合、ブロック３１０に遷移する。その後、プロセス３００は、ブロック３１５に移動し、ここで、命令は、ＲＧＢテストパターンの個別の画像マップをキャプチャするように多色カメラに指示する。この実施形態では、３つの個別の平面的な（flat）赤、緑および青のテストパターンが表示され、カメラによってキャプチャされる。このカメラは、前もって完全に測色的に較正されているので、３つの個別のキャプチャされた画像は、較正されるパネルのルーマ（luma）およびクロマ（chroma）の不均一性（non-uniformity）を示す。したがって、これら３つの画像は、較正されるディスプレイユニットのルーマ／クロマの不均一性を表す。
【００３１】
[0035]  その後、プロセス３００は、ブロック３２０に移動し、ここで、命令は、パネルドライバ１２３によって、ディスプレイユニット上に単一または多色テストパターン（a single or multicolor test pattern）が表示されるように指示する。一実施形態では、パネルドライバ１２３は、テスト下にある電子ディスプレイを収容するデバイスにおけるグラフィックスプロセッサと直接通信する。その後、プロセス３００は、ブロック３２５に移動し、ここで、図２の画像キャプチャモジュール１４０内の命令は、ディスプレイユニットの画像をキャプチャするように多色カメラに命令する。その後、プロセス３００は、ブロック３２７に移動し、ここで、図２の比較モジュール１４５内の命令は、ＲＧＢテストの個別の画像と、較正テストパターンのキャプチャされた画像から抽出されたテスト色のＲＧＢ値を比較し、数値処理を通じて、ディスプレイユニットのルーマおよびクロマの不均一性を補償するために、テスト色または複数のテスト色のＸＹＺ座標を計算する。
【００３２】
[0036]  ブロック３１５において生成される３つの画像マップは、ルーマ／クロマの不均一性を補償するために、ブロック３２５においてキャプチャされた画像に適用され、したがって、ブロック３２５においてカメラによってキャプチャされた画像における各画素についてのＲＧＢ値を、絶対ＸＹＺ座標に正確に移す（transfer）。その後、プロセス３００は、ブロック３３０に移動し、ここで、命令は、テストパターンのキャプチャされた画像の各画素のＲＧＢ値を、計算されたＸＹＺ座標に移すように数値処理を指示する。その後、プロセス３００は、決定ブロック３３５に移動し、ここで、命令は、すべての較正パターンが実行されているかどうかを決定するために実行される。すべての較正パターンがディスプレイユニット上に示されていない場合には、プロセス３００は、ブロック３１０に戻り、上述したプロセスを繰り返す。すべての較正テストパターンが表示されていた場合、プロセス３００は、ブロック３４０に移動し、ここで、命令は、較正パターンにおいて表示されたテスト色の基準ＸＹＺ座標を、テストパターンのキャプチャされた画像から取得されたテスト色の計算されたＸＹＺ座標と比較する。
【００３３】
[0037]  ブロック３４０内では、数値処理（例えば、回帰（regression））が、較正パターンのセットからのすべてのテスト色の基準ＸＹＺ座標と、同じセットのテスト色の計算された／測定されたＸＹＺ座標との、２つのセットのＸＹＺ座標に適用される。その後、色誤差が、テスト色の基準ＸＹＺ座標と計算されたＸＹＺ座標との間で測定される。このステップは、較正データのセットをもたらす。ガンマ補正（即ち、ルーマ／色調／グレー・トラッキング補正（luma/tone/gray tracking correction））のための較正データと、クロマ補正（即ち、色補正）のための較正データとの、２つのセットの較正データが生成される。
【００３４】
[0038]  その後、プロセス３００は、ブロック３４５に移動し、そこで、較正変更（calibration changes）がディスプレイユニットに適用される。例えば、較正変更は、ディスプレイユニットにおけるメモリに較正表を記憶することによって適用されうる。一旦、すべての較正変更がディスプレイユニットに適用されると、プロセス３００は、ブロック３５０に移動し、プロセス３００は終了する。説明された実施形態では、すべてのテスト色が表示され、それらのＸＹＺ座標が計算されて、その後、望ましくは一度にすべての計算されたテスト色が基準テスト色と比較されて、ディスプレイユニットの較正に必要とされるすべての補正を較正データのセットの形で生成する。ルーマについては、補正は、３つの１Ｄルックアップ表（3 1D look up tables）（ＬＵＴ）をもたらし、クロマについては、補正は、３×１１多項式色補正マトリクス（a 3x11 polynomial color correction matrix）をもたらす。
【００３５】
[0039]  キャプチャされた画像が特定のディスプレイデバイスについての許容可能な色誤差内にあるかどうかを決定することは、いくつかの方法によって実行されうる。例えば、ディスプレイの色応答は、対応する入力基準線形色値（input reference linear color values）に対する基準色出力を測定することによって実行されうる。１つの例では、いわゆるマクベスカラーチェッカーテストチャートの色が、較正パターンとして、デバイスへの入力として使用される。マクベスカラーチェッカーチャートは、１８色と、６つ無彩色の中間色（achromatic neutral colors）（白、グレー、および黒）とを含む、２４色の基準色を有する。他の例では、より精度の高い結果が、より多くの数の基準色、例えば、１０８色の基準色を有するカラーチェッカー、を利用することによって達成されうる。その後、色測定（a color measurement）が、多色カメラを使用して得られる。
【００３６】
[0040]  各色入力についての、ディスプレイの色応答における誤差、またはディスプレイによって生成される色誤差の量は、測定された出力色と、マクベスカラーチェッカーチャートまたはその他のカラーチェッカー基準によって示される、対応する入力色基準との間の差に基づいて決定されうる。人間の眼は、典型的に、国際照明委員会（または、Commission Internationale de l'Eclairage（ＣＩＥ））によって指定されるような、２デルタｅ（2 delta e）（ＣＩＥ）を超える色差（color differences）を検出しうる。例えば、１つの色の２つの色合い（shades）は、それらの間の差が２デルタｅ（ＣＩＥ）以下である場合、人間の目にとっては同じに見えることがある。ディスプレイの特徴付けまたは較正の間、入力基準色と出力基準色（the input and output reference colors）との間の差の量が決定されうる。入力基準色と出力基準色は、それらのＲＧＢ成分の観点から表されうる。
【００３７】
[0041]  色誤差が許容可能な範囲内にないディスプレイデバイスを較正するために、このシステムは、最小２乗誤差（ＭＳＥ）法のような、周知の方法によってチャートにおけるすべての色についての色補正マトリクスを決定しうる。
【００３８】
[0042]  ３ＣＣＤカメラのための色補正は、スペクトルデータおよび処理に基づきうる。３ＣＣＤカメラのための色補正マトリクス計算の１つの例が以下に説明される。マクベスカラーチェッカーチャート（２４色の基準色のセット）が、色較正を行うために使用されうる。これら２４色についてのスペクトルデータは、マクベスカラーチェッカーチャートの２０個のサンプルに基づく。これらのスペクトルデータは、３８０ｎｍ〜７３０ｎｍ範囲に基づく。
【００３９】
[0043]  所与の照明源下（under a given illumination source）のこれら２４色についての統合された（integrated）Ｒ／Ｇ／Ｂ値が、下記の式を使用して計算されうる。
【００４０】
[0044]  Ｒ＝Σ（Ｉ（λ）＊Ｒ（λ）＊ＳＲ（λ））
[0045]  Ｇ＝Σ（Ｉ（λ）＊Ｒ（λ）＊ＳＧ（λ））
[0046]  Ｂ＝Σ（Ｉ（λ）＊Ｒ（λ）＊ＳＢ（λ））
[0047]  これらの式では、Ｉ（λ）は、照明源のスペクトルパワー分布（spectral power distribution）（ＳＰＤ）を表し、Ｒ（λ）は、各色のスペクトル反射率（spectral reflectance factors）（ＳＲＦ）を表し、Ｓ（λ）は、特定の色チャネルについてのカメラのスペクトル応答（spectral response）（ＳＲ）を表す。マクベスカラーチェッカーチャートにおける第１９番の色は、約９０％の反射指数を有する反射表面（reflectance surfacewith 〜90% reflectance index）を表す。この色は、統合されたＲＧＢ値をスケーリングするための基準として使用されうる。
【００４１】
[0048]  上記３つの式の統合および総和は、波長の可視範囲（λ：３６０ｎｍ〜７２０ｎｍであると共に、１０ｎｍの波長分解能を有する）のために行われる。
【００４２】
[0049]  所与の照明源下のこれら２４色についての統合されたＣＩＥ三刺激値Ｘ／Ｙ／Ｚ（Integrated CIE tristimulus values X/Y/Z for the 24 colors）は、下記の式を使用して計算されうる。
【００４３】
[0050]  Ｘ＝Σ（Ｉ（λ）＊Ｒ（λ）＊ｘ（λ））
[0051]  Ｙ＝Σ（Ｉ（λ）＊Ｒ（λ）＊ｙ（λ））
[0052]  Ｚ＝Σ（Ｉ（λ）＊Ｒ（λ）＊ｚ（λ））
[0053]  先に指摘されたように、Ｉ（λ）は、照明源のスペクトルパワー分布（ＳＰＤ）を表し、Ｒ（λ）は、各色のスペクトル反射率（ＳＲＦ）を表す。さらに、ｘ（λ）、ｙ（λ）およびｚ（λ）は、等色関数（Color Matching Functions）を表す。
【００４４】
[0054]  カメラＲＧＢ値をＣＩＥ三刺激値Ｘ／Ｙ／Ｚにマッピングするために、１７個の項を有する３次多項式モデル（a third-order polynomial model with 17 terms）が、各チャネルのために定義される。
【数１】
2014531612.tif 000003
【数２】
2014531612.tif 000004
【数３】
2014531612.tif 000005
【００４５】
[0058]  ここでｋｉｊは、多項式モデルの１７個の係数を表し、Ｒ、ＧおよびＢは、カメラの統合されたＲＧＢ応答を表し、Ｘ、ＹおよびＺは、ＣＩＥ三刺激値を表す。これは、すべて２次項および３次項を有する非線形モデル（a non-linear model with all 2nd and 3rd order terms）であるが、その解は、線形回帰（linear regression）に基づくことに留意されたい。最小２乗誤差（Least Squared Error）（ＬＳＥ）法が、５１（３×１７）個の未知係数ｋｉｊを解くために使用される。
【００４６】
[0059]  上記の式は、再編成され（re-arranged）、以下に示されるマトリクス形式で表されうる。
【数４】
2014531612.tif 000006
【００４７】
[0060]  ここで、マトリクス［Ｄ］の転置は、次のように定義される。
【数５】
2014531612.tif 000007
【００４８】
[0062]  ５１個の未知係数を解くためには、最低１７色の基準色が必要である。しかしながら、より多い数の基準色が、［３×１７］色補正／マッピングマトリクスのより正確な計算を達成するために使用される。マクベスカラーチェッカーチャートは、２４色の基準色を提供する（このうち６色は無彩色である）。
【００４９】
[0063]  色誤差推定（color-error estimation）のために、色誤差メトリックＤＥ２０００が適用されうる。色補正／マッピングマトリクスに最適な多項式を確立するために、以下の８つのケースがテストされる。
【表１】
2014531612.tif 000008
【表２】
2014531612.tif 000009
【００５０】
[0064]  上記の表におけるデータは、（３×１７マトリクスによって表される）１７個の項を有する３次多項式モデルが、３ＣＣＤカメラのために正確な色補正を提供するということを示す。すなわち、この例については、最大色誤差は、１ ＤＥ２０００ ＣＩＥ単位未満であり、一方、平均色誤差は、ＤＥ２０００ ＣＩＥ単位の約１／３である。
【００５１】
[0065]  本発明の態様は、色補正を実行する特定の方法、または記憶されたＲＧＢ値係数の特定のサイズのマトリクスに限定されるものではない。例えば、以上に示されたように、このシステムの実施形態は、３ＣＣＤカメラをスペクトル的に較正するために、３×１７多項式色補正（a 3x17 polynomial color correction）を使用する。いくつかの例では、補正値は、色補正されたＲＧＢ値（Ｒｃｉｅ  Ｇｃｉｅ  Ｂｃｉｅ）を提供する係数値として表されうる。これら係数は、入力ＲＧＢ値（Ｒｄ  Ｇｄ  Ｂｄ）から、色補正されたＲＧＢ値を得るために、線形回帰式または多項式回帰式で使用されうる。これら係数は、３×Ｎマトリクスとして記憶されることができ、ここで、Ｎは、３以上である。Ｎが３である場合、線形回帰が、入力ＲＧＢ値から色補正されたＲＧＢ値を得るために使用されうる。以下の実例的な式は、色較正の間に解かれることができ、その後、デバイスの動作中に色調整または色補正のために（係数ｋに関して解かれた値に基づいて）適用されることができる、３×４マトリクスの１つの例を表しうる。
【数６】
2014531612.tif 000010
【数７】
2014531612.tif 000011
【数８】
2014531612.tif 000012
【００５２】
[0069]  ここで、係数ｋiは、上述されたように、実行された較正に基づく色補正係数を表す。Ｒｄ、Ｇｄ、Ｂｄは、ディスプレイのＲＧＢ値を表し、Ｒｃｉｅ、Ｇｃｉｅ、Ｂｃｉｅは、色補正された値を表す。これら係数の各々は、１チャネルの寄与（one-channel contributions）、または、単独での赤（Ｒ）チャネル、緑（Ｇ）チャネル、および青（Ｂ）チャネル（red (R), green (G), and blue (B) channels alone）の各々の寄与に関連づけられる。したがって、ｋｒｒは、色補正された赤チャネル値に対する赤チャネルの寄与に関連づけられた係数であり、ｋｒｇは、色補正された赤チャネル値に対する緑チャネルの寄与に関連づけられ、ｋｒｂは、色補正された赤チャネル値に対する青チャネルの寄与に関連づけられる。
【００５３】
[0070]  同様に、ｋｇｒ、ｋｇｇ、およびｋｇｂは、それぞれ、色補正された緑チャネル値に対する赤、緑、および青のチャネルの寄与に関連づけられた係数であり、また、ｋｂｒ、ｋｂｇ、およびｋｂｂは、それぞれ、色補正された青チャネル値に対する赤、緑、および青のチャネルの寄与に関連づけられた係数である。
【００５４】
[0071]  さらに、生成された較正パターンからの入力基準色に関連した、多色カメラによって測定されたディスプレイデバイスの出力の実験的な測定値（experimental measurements）は、所望の係数を実験的に決定するために使用されうる。さらに、異なる係数のセットが、較正プロセスの間に、デバイスの複数の異なるバックライト設定の各々について解かれうる。このように、（いくつかの設定は、両方のバックライト設定のために同じ調整が適切である場合には、同じマトリクスを適用しうるが、）異なる色補正マトリクスが、デバイスの複数の異なるバックライト設定の各々のために定義されうる。これらマトリクスは、ディスプレイデバイスに関連づけられたメモリに記憶されうる。
【００５５】
[0072]  その後、ディスプレイパネルの色応答の特徴付けおよび較正の検証が、基準色（例えば、マクベスチャートの色）を入力することと、特徴付けおよび較正プロセスの間に決定された適切な色補正マトリクスを適用することと、対応する色出力を測定することとによって実行されうる。
【００５６】
[0073]  図４は、図２の画像キャプチャモジュール１４０の一実施形態内で実行されるカメラ較正プロセス５００を例示するフローチャートである。このプロセスは、カメラがディスプレイ上の正確な色測定値（accurate color measurements）を読み取っていることが分かるように、電子ディスプレイ上の画像をキャプチャするために使用されるカメラを較正するために使用される。プロセス５００は、開始ブロック５０５で始まり、すべての内部自動処理機能または適応処理機能が多色カメラ上で無効にされる（disabled）ブロック５１０に遷移する。その後、プロセス５００は、ブロック５１５に移動し、ここで、命令は、多色カメラのホワイトバランスを望ましくは６５００Ｋに設定する。その後、プロセス５００は、ブロック５２０に移動し、ここで、多色カメラのガンマがオフにされる。その後、プロセス５００は、ブロック５２５に移動し、ここで、多色カメラのビデオゲインはゼロに設定される。その後、プロセス５００は、ブロック５３０に移動し、ここで、命令は、基準スペクトル画像のセットをキャプチャするように多色カメラに指示する。モノクロメータおよび積分球（a monochromator and an integrating sphere）を使用して、所定の波長（３８０ｎｍ〜７２０ｎｍ）を有するフラットフィールド（flat filed）のセットが、３ＣＣＤカメラの視野において生成されうる。その後、プロセス５００は、ブロック５３５に移動し、ここで、命令は、ブラックオフセット基準画像（black-offset reference images）の対応するセットをキャプチャするように多色カメラに指示する。その後、プロセスは、ブロック５４０に移動し、ここで、命令は、対応するスペクトル画像からブラックオフセット画像を減算することによって、基準スペクトル画像とブラックオフセット画像との間の差を決定する。この段階において、３ＣＣＤカメラのＲＧＢスペクトル応答は、３ＣＣＤカメラの測色的較正の第１の部分として確立される。３ＣＣＤカメラの測色的較正のプロセスは、上述したように、ブロック５４３における色誤差マトリクスの計算により継続する。その後、プロセス５００は、ブロック５４５に移動し、ここで、命令は、３つの色、Ｒ、Ｇ、およびＢについてのＣＩＥ統合された三刺激値を決定する。その後、プロセス５００は、ブロック５５５に移動して終了する。
【００５７】
[0074]  上述されたプロセス５００は、ディスプレイユニットの較正において使用するための多色カメラのスペクトルに基づく較正の一実施形態を例示する。ディスプレイユニットの較正において高い精度を達成するために、プロセス５００に例示されるように、スペクトル方式に基づいてカメラの測色的較正を実行することが好ましい。
【００５８】
[0075]  一実施形態では、ディスプレイユニットのルーマおよびクロマの不均一性は、ディスプレイユニットの較正の前に確立される。例えば、２つの赤色パッチがディスプレイの中央と角に表示された場合、その２つのパッチは、同じルミナンスおよび同じ絶対色座標ＸＹＺを有しない場合がある。したがって、スペクトル的に較正されたカメラを使用して、同じ表示された較正パターン内の複数の色を測定する前に、ディスプレイの不均一性を確立することが望ましい。
【００５９】
[0076]  上述されたように、多色カメラは、３つの個別の赤、緑および青のＣＣＤセンサを有しうる。したがって、不正確な色測定をもたらすチャネル間のＲＧＢ色クロストークがないことが望ましい。さらに、カメラ設定は、ＲＧＢレンズの減衰（fall off）が最小限かつごくわずかであるように確立されうる。
【００６０】
[0077]  一実施形態では、３つの個別の赤、緑、青のテストパターンが、ディスプレイユニット上に表示され、３つの画像が、スペクトル的に較正された多色カメラによってキャプチャされる。上述された多色カメラの機能および設定により、３つの画像は、３つの赤、緑、および青のチャネルについてのルーマおよびクロマの空間不均一性を示す。スペクトル的に較正された多色カメラによってキャプチャされる、ディスプレイユニット上に表示される生成された較正テストパターンの後続する画像は、その後、上述されたルーマおよびクロマの不均一性画像を使用して補正または補償されうる。較正テストパターンが複数の色を含む場合、各色は、ディスプレイユニット上の異なる位置にあり、したがって、ディスプレイユニットのルーマおよびクロマの不均一性は、表示される色に影響を及ぼす。ルーマおよびクロマの不均一性画像の使用は、システムが、テスト色のセットの測定されたルーマおよびクロマを補正することを可能にし、したがって、同時に色のセットの正確な色測定を生成することを可能にする。
【００６１】
[0078]  当業者であれば、ここに開示されたインプリメンテーションに関連して説明された様々な例示的な論理ブロック、モジュール、回路、およびプロセスブロックは、電子ハードウェア、コンピュータソフトウェア、または両方の組み合せとしてインプリメントされうることをさらに理解するであろう。ハードウェアとソフトウェアのこの互換性を明確に例示するために、様々な例示的なコンポーネント、ブロック、モジュール、回路、およびブロックが、概してそれらの機能の点から上記に説明されてきた。このような機能が、ハードウェアとしてインプリメントされるか、あるいはソフトウェアとしてインプリメントされるかは、特定のアプリケーションおよびシステム全体に課せられる設計制約に依存する。当業者は、各特定のアプリケーションに関して、多様な方法で、説明された機能をインプリメントしうるが、このようなインプリメンテーションの決定は、本発明の範囲から逸脱を引き起こしていると解釈されるべきでない。当業者であれば、部分、または一部が、全体よりも少ないもの、または全体に等しいものを備えうることを理解するであろう。例えば、画素の集合の一部分は、これら画素のサブ集合を指しうる。
【００６２】
[0079]  ここに開示されたインプリメンテーションに関連して説明された様々な例示的な論理ブロック、モジュール、および回路は、汎用プロセッサ、デジタル信号プロセッサ（ＤＳＰ）、特定用途向け集積回路（ＡＳＩＣ）、フィールド・プログラマブル・ゲート・アレイ（ＦＰＧＡ）またはその他のプログラマブル論理デバイス、ディスクリートゲートまたはトランジスタロジック、ディスクリートハードウェアコンポーネント、あるいはここに説明された機能を実行するように設計されるこれらの任意の組み合わせで、インプリメントまたは実行されうる。汎用プロセッサは、マイクロプロセッサでありうるが、代替において、このプロセッサは、任意の従来型のプロセッサ、コントローラ、マイクロコントローラ、またはステートマシン（state machine）でありうる。プロセッサはまた、例えば、ＤＳＰとマイクロプロセッサの組み合わせ、複数のマイクロプロセッサ、ＤＳＰコアと連携した１つまたは複数のマイクロプロセッサ、あるいはその他任意のこのような構成であるコンピューティングデバイスの組み合わせとしてインプリメントされうる。
【００６３】
[0080]  ここに開示されたインプリメンテーションに関連して説明された方法またはプロセスのブロックは、直接ハードウェアにおいて、プロセッサによって実行されるソフトウェアモジュールにおいて、またはこれら２つの組み合わせにおいて、具現化（embodied）されうる。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバルディスク、ＣＤ−ＲＯＭ、または当該技術分野において周知のその他任意の形状の非一時的な記憶媒体内に存在しうる。典型的なコンピュータ読取可能な記憶媒体は、プロセッサがコンピュータ読取可能な記憶媒体から情報を読み取り、またそれに情報を書き込むことができるように、プロセッサに結合される。代替において、記憶媒体は、プロセッサと一体化されうる。プロセッサおよび記憶媒体は、ＡＳＩＣ内に存在しうる。ＡＳＩＣは、ユーザ端末、カメラ、または他のデバイス内に存在しうる。代替において、プロセッサおよび記憶媒体は、ユーザ端末、カメラ、または他のデバイス内のディスクリートコンポーネントとして存在しうる。
【００６４】
[0081]  開示されたインプリメンテーションの上記説明は、いかなる当業者であっても、本発明を製造または使用できるように提供される。これらのインプリメンテーションへの様々な修正は、当業者にとって容易に明らかになり、ここに定義された一般的な原理は、本発明の主旨または範囲から逸脱することなく、他のインプリメンテーションにも適用されうる。したがって、本発明は、ここに示されたインプリメンテーションに限定されるようには意図されず、ここに開示される原理および新規な特徴と一致する最も広い範囲を与えられることとなる。
【図１】
2014531612.tif 000013
【図２】
2014531612.tif 000014
【図３】
2014531612.tif 000015
【図４】
2014531612.tif 000016
【手続補正書】
【提出日】平成26年4月9日(2014.4.9)
【手続補正１】
【補正対象書類名】特許請求の範囲
【補正対象項目名】全文
【補正方法】変更
【補正の内容】
【特許請求の範囲】
【請求項１】
ディスプレイユニットを較正するための電子的方法であって、
前記ディスプレイユニット上に多色較正パターン画像を表示することと、なお、前記多色較正パターン画像は、複数の単色画像を備える、
各画像センサが所定の色の光をキャプチャするように構成された、複数の画像センサを有する多色測色的に較正されたカメラを用いて、前記ディスプレイユニット上に表示される前記多色較正パターン画像をキャプチャすることと、
前記多色較正パターンからの色のセットの基準絶対ＸＹＺ座標のセットを、前記測色的に較正されたカメラを使用してキャプチャされた、測定されたＸＹＺ色座標のセットと比較することと、
前記基準座標と前記測定された座標との間の前記比較に基づいて、前記ディスプレイユニットを較正することと
を備える方法。
【請求項２】
前記色のセットの基準絶対ＸＹＺ座標と、前記測定されたＸＹＺ色座標との間の前記比較が、許容可能な色誤差内にあるかどうかを決定するステップをさらに備える、請求項１に記載の方法。
【請求項３】
前記許容可能な色誤差は、１ ＣＩＥ ＤＥ２０００単位未満である、請求項２に記載の方法。
【請求項４】
前記多色カメラのスペクトルに基づく較正を実行するステップをさらに備える、請求項１に記載の方法。
【請求項５】
前記方法は、５秒未満で実行されうる、請求項１に記載の方法。
【請求項６】
前記測色的に較正されたカメラは、赤、緑、および青の光をキャプチャするように構成された個別の画像センサを備える、請求項１に記載の方法。
【請求項７】
前記ディスプレイユニット上に多色較正パターン画像を表示することは、前もって選択された画素色を表示するように、前記ディスプレイユニットにおけるグラフィックスプロセッサに命令することを備える、請求項１に記載の方法。
【請求項８】
ディスプレイユニットを較正するためのシステムであって、
各画像センサが所定の色の光をキャプチャするように構成された、個別の画像センサで赤色、緑色、および青色をキャプチャするように構成された測色的に較正された多色カメラと、
較正されるディスプレイユニット上で多色パターン画像を生成するように構成されたパネルドライバと、なお、前記多色パターン画像は、複数の単色画像を備える、
前記ディスプレイ上に示される色を調整するために、較正値を設定するように構成された較正モジュールと
を備えるシステム。
【請求項９】
テスト色のセットの基準絶対ＸＹＺ座標のセットを、測色的に較正されたカメラを使用してキャプチャされる測定されたＸＹＺ色座標の対応するセットと比較し、許容可能な色誤差が達成されたかどうかを決定するように構成された比較モジュールをさらに備える、請求項８に記載のシステム。
【請求項１０】
前記許容可能な色誤差は、１ ＤＥ２０００ ＣＩＥ単位未満である、請求項９に記載のシステム。
【請求項１１】
前記ディスプレイユニット上の色パターン画像をキャプチャする前に、多色カメラをスペクトル的に較正するように構成された画像キャプチャモジュールをさらに備える、請求項９に記載のシステム。
【請求項１２】
前記多色カメラは、３ＣＣＤカメラを備える、請求項９に記載のシステム。
【請求項１３】
前記パネルドライバは、前記較正されるディスプレイユニットにおけるグラフィックスプロセッサと通信するように構成される、請求項９に記載のシステム。
【請求項１４】
前記較正モジュールは、前記ディスプレイユニット中に較正係数のマトリクスを記憶するように構成される、請求項９に記載のシステム。
【請求項１５】
プロセッサ実行可能命令を含む非一時的なコンピュータ読取可能な媒体であって、前記命令は、実行されたときに、
ディスプレイユニット上に多色較正パターン画像を表示することと、なお、前記多色較正パターン画像は、複数の単色画像を備える、
各画像センサが所定の色の光をキャプチャするように構成された、複数の画像センサを有する測色的に較正された多色カメラを用いて、前記ディスプレイユニット上に表示される前記多色較正パターン画像をキャプチャすることと、
色のセットの基準絶対ＸＹＺ座標を、前記測色的に較正されたカメラを使用してキャプチャされる測定されたＸＹＺ色座標のセットと比較することと、
前記基準座標と前記測定された座標との間の前記比較に基づいて、前記ディスプレイユニットを較正することと
を備える方法を実行する、コンピュータ読取可能な媒体。
【請求項１６】
実行されたときに、測色的に較正されたカメラを使用してキャプチャされる前記測定されたＸＹＺ色座標に対して前記色のセットの基準絶対ＸＹＺ座標が、許容可能な色誤差内にあるかどうかを決定する方法を実行するプロセッサ実行可能命令をさらに含む、請求項１５に記載のコンピュータ読取可能な媒体。
【請求項１７】
実行されたときに、前記多色カメラのスペクトルに基づく較正を実行する方法を実行するプロセッサ実行可能命令をさらに含む、請求項１５に記載のコンピュータ読取可能な媒体。
【請求項１８】
前記コンピュータ読取可能な媒体は、前記ディスプレイユニット中に較正係数のマトリクスを記憶することによって前記ディスプレイユニットを較正するための命令を備える、請求項１５に記載のコンピュータ読取可能な媒体。
【請求項１９】
ディスプレイユニットを較正するためのシステムであって、
前記ディスプレイユニット上に多色較正パターン画像を表示する手段と、なお、前記多色較正パターン画像は、複数の単色画像を備える、
各画像センサが所定の色の光をキャプチャするように構成された、複数の画像センサを有する測色的に較正された多色カメラを用いて、前記ディスプレイユニット上に表示される前記多色較正パターン画像をキャプチャする手段と、
色のセットの基準絶対ＸＹＺ座標を、前記測色的に較正されたカメラを使用してキャプチャされる測定されたＸＹＺ色座標のセットと比較する手段と、
前記基準座標と前記測定された座標との間の前記比較に基づいて、前記ディスプレイユニットを較正する手段と
を備えるシステム。
【手続補正２】
【補正対象書類名】明細書
【補正対象項目名】００６４
【補正方法】変更
【補正の内容】
【００６４】
[0081]  開示されたインプリメンテーションの上記説明は、いかなる当業者であっても、本発明を製造または使用できるように提供される。これらのインプリメンテーションへの様々な修正は、当業者にとって容易に明らかになり、ここに定義された一般的な原理は、本発明の主旨または範囲から逸脱することなく、他のインプリメンテーションにも適用されうる。したがって、本発明は、ここに示されたインプリメンテーションに限定されるようには意図されず、ここに開示される原理および新規な特徴と一致する最も広い範囲を与えられることとなる。
以下に、本願出願の当初の特許請求の範囲に記載された発明を付記する。
［Ｃ１］  ディスプレイユニットを較正するための電子的方法であって、
前記ディスプレイユニット上に多色較正パターン画像を表示することと、
各画像センサが所定の色の光をキャプチャするように構成された、複数の画像センサを有する多色測色的に較正されたカメラを用いて、前記ディスプレイユニット上に表示される前記多色較正パターン画像をキャプチャすることと、
前記多色較正パターンからの色のセットの基準絶対ＸＹＺ座標のセットを、前記測色的に較正されたカメラを使用してキャプチャされた、測定されたＸＹＺ色座標のセットと比較することと、
前記基準座標と前記測定された座標との間の前記比較に基づいて、前記ディスプレイユニットを較正することと
を備える方法。
［Ｃ２］  前記色のセットの基準絶対ＸＹＺ座標と、前記測定されたＸＹＺ色座標との間の前記比較が、許容可能な色誤差内にあるかどうかを決定するステップをさらに備える、Ｃ１に記載の方法。
［Ｃ３］  前記許容可能な色誤差は、１ ＣＩＥ ＤＥ２０００単位未満である、Ｃ２に記載の方法。
［Ｃ４］  前記多色カメラのスペクトルに基づく較正を実行するステップをさらに備える、Ｃ１に記載の方法。
［Ｃ５］  前記多色較正パターン画像は、複数の単色画像を備える、Ｃ１に記載の方法。
［Ｃ６］  前記方法は、５秒未満で実行されうる、Ｃ１に記載の方法。
［Ｃ７］  前記測色的に較正されたカメラは、赤、緑、および青の光をキャプチャするように構成された個別の画像センサを備える、Ｃ１に記載の方法。
［Ｃ８］  前記ディスプレイユニット上に多色較正パターン画像を表示することは、前もって選択された画素色を表示するように、前記ディスプレイユニットにおけるグラフィックスプロセッサに命令することを備える、Ｃ１に記載の方法。
［Ｃ９］  ディスプレイユニットを較正するためのシステムであって、
各画像センサが所定の色の光をキャプチャするように構成された、個別の画像センサで赤色、緑色、および青色をキャプチャするように構成された多色カメラと、
較正されるディスプレイユニット上で色パターン画像を生成するように構成されたパネルドライバと、
前記ディスプレイ上に示される色を調整するために、較正値を設定するように構成された較正モジュールと
を備えるシステム。
［Ｃ１０］  テスト色のセットの基準絶対ＸＹＺ座標のセットを、測色的に較正されたカメラを使用してキャプチャされる測定されたＸＹＺ色座標の対応するセットと比較し、許容可能な色誤差が達成されたかどうかを決定するように構成された比較モジュールをさらに備える、Ｃ９に記載のシステム。
［Ｃ１１］  前記許容可能な色誤差は、１ ＤＥ２０００ ＣＩＥ単位未満である、Ｃ１０に記載のシステム。
［Ｃ１２］  前記ディスプレイユニット上の色パターン画像をキャプチャする前に、多色カメラをスペクトル的に較正するように構成された画像キャプチャモジュールをさらに備える、Ｃ１０に記載のシステム。
［Ｃ１３］  前記多色カメラは、３ＣＣＤカメラを備える、Ｃ１０に記載のシステム。
［Ｃ１４］  前記パネルドライバは、前記較正されるディスプレイユニットにおけるグラフィックスプロセッサと通信するように構成される、Ｃ１０に記載のシステム。
［Ｃ１５］  前記較正モジュールは、前記ディスプレイユニット中に較正係数のマトリクスを記憶するように構成される、Ｃ１０に記載のシステム。
［Ｃ１６］  プロセッサ実行可能命令を含む非一時的なコンピュータ読取可能な媒体であって、前記命令は、実行されたときに、
ディスプレイユニット上に多色較正パターン画像を表示することと、
各画像センサが所定の色の光をキャプチャするように構成された、複数の画像センサを有する多色カメラを用いて、前記ディスプレイユニット上に表示される前記多色較正パターン画像をキャプチャすることと、
色のセットの基準絶対ＸＹＺ座標を、前記測色的に較正されたカメラを使用してキャプチャされる測定されたＸＹＺ色座標のセットと比較することと、
前記基準座標と前記測定された座標との間の前記比較に基づいて、前記ディスプレイユニットを較正することと
を備える方法を実行する、コンピュータ読取可能な媒体。
［Ｃ１７］  実行されたときに、測色的に較正されたカメラを使用してキャプチャされる前記測定されたＸＹＺ色座標に対して前記色のセットの基準絶対ＸＹＺ座標が、許容可能な色誤差内にあるかどうかを決定する方法を実行するプロセッサ実行可能命令をさらに含む、Ｃ１６に記載のコンピュータ読取可能な媒体。
［Ｃ１８］  実行されたときに、前記多色カメラのスペクトルに基づく較正を実行する方法を実行するプロセッサ実行可能命令をさらに含む、Ｃ１６に記載のコンピュータ読取可能な媒体。
［Ｃ１９］  前記コンピュータ読取可能な媒体は、前記ディスプレイユニット中に較正係数のマトリクスを記憶することによって前記ディスプレイユニットを較正するための命令を備える、Ｃ１６に記載のコンピュータ読取可能な媒体。
［Ｃ２０］  ディスプレイユニットを較正するためのシステムであって、
前記ディスプレイユニット上に多色較正パターン画像を表示する手段と、
各画像センサが所定の色の光をキャプチャするように構成された、複数の画像センサを有する多色カメラを用いて、前記ディスプレイユニット上に表示される前記多色較正パターン画像をキャプチャする手段と、
色のセットの基準絶対ＸＹＺ座標を、前記測色的に較正されたカメラを使用してキャプチャされる測定されたＸＹＺ色座標のセットと比較する手段と、
前記基準座標と前記測定された座標との間の前記比較に基づいて、前記ディスプレイユニットを較正する手段と
を備えるシステム。
【国際調査報告】
2014531612.tif 000017
2014531612.tif 000018